(57)【要約】【課題】  透水性を有するようにそれぞれ編み込まれた樹脂製袋体上面から侵入する漏れた尿を、消臭性及び破水性を有するカバー上面で拡散し臭いを吸収すると共に、透水性を有する樹脂製袋体上面との間隙で蒸発揮散させて乾燥させ、前記カバーと樹脂製袋体とに付着した尿の色素は洗浄して除去することにより、使い捨てにすることなく簡単に洗濯・乾燥させて何度も再利用できる畳風の美観を備えた介護用座布団を提供する。【解決手段】  消臭性及び破水性を有するカバー内に挿脱自在に設けたクッションを、上面が透水性、底面が非透水性を有する樹脂製袋体に挿脱自在に設け、前記クッションが非吸水性又は難吸収性素材であり、前記樹脂製袋体の表裏の色彩及び／又は編模様を違えるようにした。【選択図】図１
0003180887.tif 000002
【実用新案登録請求の範囲】
【請求項１】
消臭性及び破水性を有するカバー内に挿脱自在に設けたクッションを、上面が透水性、底面が非透水性を有するようにそれぞれ編み込まれた樹脂製袋体に挿脱自在に設けた介護用座布団。
【請求項２】
前記カバー内に挿脱自在に設けたクッションが非吸水性又は難吸水性素材である請求項１記載の介護用座布団。
【請求項３】
前記樹脂製袋体の表裏の色彩及び／又は編模様を違えた請求項１乃至２のいずれかに記載の介護用座布団。
【考案の詳細な説明】
【考案の詳細な説明】
【技術分野】
【０００１】  本考案は、使い捨てにすることなく、簡単に洗濯・乾燥させて再利用できる介護用座布団に関するものである。
【背景技術】
【０００２】  例えば、特許文献１には、「尿失禁のおそれのある人であっても安心できる介護用座布団であって、不透液性シート１３の上に透液性シート１４を重ね、両シートの間に吸水性パッド１５を挟持させた吸水シート部１２と、該吸水シート部１２の下面に設けられたクッションシート部１１とを重ねて袋体１７内に収容する。外観上は通常の座布団と同じであるが、座った人が尿を漏らしても、漏れた尿は透液性シート１４を通過して吸水性パッド１５に吸い込まれ、吸水性パッド１５の下には不透液性シート１３があるので、椅子やソファーなどを汚す心配がない」旨記載されている。【０００３】  そして、上記介護用座布団は、吸水シート部１２とクッションシート部とは別個に構成されており、前記吸収シート１２の不透液性シートとしては、例えば、ポリエチレン、塩化ビニール又はナイロンなどの柔軟性のあるフィルムを使用する旨（段落００１９）、前記パッド１５は使い捨ておむつに使用される吸水パッドを使用しており、これには、綿状パルプ等と吸水性ポリマーとの混合物が使用されている旨（段落００２１）、透液性シートとしては、天然繊維や合成繊維の織布を使用している旨（段落００２０）、そして、前記吸水性シート部１２は使い捨てる旨（段落００２２）説明されている。【０００４】  したがって、この特許文献１においては、本考案のように、消臭性及び破水性を有するカバー内に挿脱自在に設けたクッションを、上面が透水性、底面が非透水性を有する樹脂製畳表風袋体に挿脱自在に設けることにより、上記透水性を有する樹脂製袋体から侵入する漏れた尿を、消臭性及び破水性を有するカバー上面で臭いを吸収すると共に、透水性を有する樹脂製袋体上面で蒸発乾燥させ、前記カバーと樹脂製袋体上面に付着した尿の色素は洗浄することにより容易に除去することが出来るようにして、使い捨てにすることなく、簡単に洗濯・乾燥させて何度も再利用できる美観を備えた介護用座布団ではない。【０００５】  また、特許文献２には、水分を透過するシート状表面材２と、シート状表面材２の下に重ねて配置され、消臭剤を担持させた少なくとも１枚のシート状消臭剤３と、シート状消臭剤３の下に重ねて配置されたシート状水分吸収材４と、シート状水分吸収材４の下に重ねて配置されたシート状防水材５からなり、これ等シート状表面材２、シート状消臭剤３、シート状水分吸収材４、シート状防水材５を重ね合わせ、シート状表面材２、シート状防水材５の周辺部を接合して袋状に形成し、使い捨てタイプとした座布団が記載されている。
が記載されている。【０００６】  しかしながら、この特許文献２においては、本考案のように、消臭性及び破水性を有するカバー内に挿脱自在に設けたクッションを、上面が透水性、底面が非透水性を有する樹脂製袋体に挿脱自在に設けることにより、上記透水性を有する樹脂製袋体から侵入する漏れた尿を、消臭性及び破水性を有するカバー上面で臭いを吸収すると共に、透水性を有する樹脂製袋体上面で蒸発乾燥させ、前記カバーと樹脂製袋体上面に付着した尿の色素は洗浄することにより容易に除去することが出来るようにして、使い捨てにすることなく、簡単に洗濯・乾燥させて何度も再利用できる美観を備えた介護用座布団ではない。【０００７】
【特許文献１】  特開２００５−３１９２６５号公報
【特許文献２】  実用新案登録第３０６１２７２号公報
【考案が解決しようとする課題】
【０００８】  本考案は、消臭性及び破水性を有するカバー内に挿脱自在に設けたクッションを、上面が透水性、底面が非透水性を有するように編み込まれた樹脂製袋体に挿脱自在に設けることにより、上記透水性を有する樹脂製袋体上面から侵入する漏れた尿を、消臭性及び破水性を有するカバー上面拡散して臭いを吸収すると共に透水性を有する樹脂製袋体上面で蒸発揮散させて乾燥させ、前記カバーと樹脂製袋体上面に付着した尿の色素は洗浄することにより容易に除去することが出来るようするもので、使い捨てにすることなく簡単に洗濯・乾燥させて何度も再利用できる美観を備えた介護用座布団を提供することを課題とする。
【課題を解決する手段】
【０００９】  請求項１の考案は、消臭性及び破水性を有するカバー内に挿脱自在に設けたクッションを、上面が透水性、底面が非透水性を有するようにそれぞれ編み込まれた樹脂製袋体に挿脱自在に設けた介護用座布団を提供するものである。
【００１０】  この考案においては、上記透水性を有するようにそれぞれ編み込まれた樹脂製袋体から侵入する漏れた尿を、消臭性及び破水性を有するカバー上面で拡散させ臭いを吸収すると共に、透水性を有する樹脂製袋体上面で蒸発揮散させて乾燥する。前記カバーと樹脂製袋体上面に付着した尿の色素は洗浄することにより容易に除去することが出来る。したがって、使い捨てにすることなく簡単に洗濯・乾燥させて何度も再利用できる美観を備えた介護用座布団を提供することが出来る。
【００１１】  請求項２の考案は、前記クッションが非吸水性又は難吸収性素材である請求項１記載の介護用座布団を提供するものである。
【００１２】  この考案においては、万一上記破水性カバー内のクッションにカバーの破れ部分やクッション挿脱部分等から尿が侵入しても、クッションに吸収されないようにし、クッション自体に臭気が定着しないようにすることができる。
【００１３】  請求項３の考案においては、前記樹脂製袋体の表裏の色彩及び／又は編模様を違えた請求項１乃至３のいずれかに記載の介護用座布団を提供するものである。
【００１４】  この考案においては、前記樹脂製袋体の透水性の上面と非透水性の底面との表裏を間違って使用することがないと共に、座布団の意匠性をも高めることができる。
【考案を実施するための形態】
【００１５】  以下に本考案の一実施例を図面に基づき説明する。  図１は本考案の介護用座布団の表面を手前上方から見た写真、図２は本考案の介護用座布団の裏面を手前上方から見た写真、図３は樹脂製畳表風袋体をマジックテープ部分で解放した図１のＩ−Ｉ線視部分拡大写真、図４は図３の樹脂製畳表風袋体内に挿脱自在に設けたカバーのマジックテープ部分でを解放した部分拡大写真である。
【００１６】  図１及び２に示すように、１は樹脂製畳表風袋体であり、該樹脂製畳表風袋体１は、プリプロピレンを素材とし、畳表材を製作する織機のギア数を調整して，上面を透水性、底面が非透水性となるように織り込まれる。本実施例では、平田織機製（商品名；平田式織機）により、上面は透水性となるようにギア数を１３として粗く編み上げている。底面は非透水性となるようにギア数を２１として密に編み上げている。ギヤ数の範囲としては、上面は透水性となるようにギア数を１０〜１６の範囲で粗く編み上げ、底面は非透水性となるようにギア数を１８〜２５の範囲で密に編み上げることができる。
【００１７】  前記樹脂製畳表風袋体１は、非吸水性であるポリプロピレンを使用しているので乾燥が速く・臭気を定着させない。また、図１及び２に示すように、前記樹脂製畳表風袋体１の表面１ａと裏面１ｂとの色彩及び編模様を違え、前記樹脂製畳表風袋体１の透水性の上面１ａと非透水性の底面１ｂとの表裏を間違って使用することがないようしている。この樹脂製畳表風袋体１は畳風として座布団の意匠性をも高めることができる。
【００１８】  また、図２に示すごとく、この樹脂製畳表風袋体１はその一辺の内面に沿って形成して互いに着脱するマジックテープ２ａ、２ｂにより解放自在に設けている。また、図３に示す如く、消臭性及び破水性を有するカバー３内にその一辺の内面に沿って形成して互いに着脱するマジックテープ３ａ、３ｂにより開閉してクッション４を挿脱自在に設けている。
【００１９】  したがって、上記透水性を有する樹脂製畳表風袋体１の上面１ａから侵入する漏れた尿を、消臭性及び破水性を有するカバー３上面で拡散して臭いを吸収すると共に、透水性を有する樹脂製畳表風袋体１の上面１ａとの間隙から蒸発気散させて乾燥させる。上記カバー３は臭気を吸収すると共に殺菌作用を有するセーレン株式会社、商品名；ＤＥＯＥＳＴを使用している。前記カバー３と樹脂製畳表風袋体１の上面１ａに付着した尿の色素は洗浄することにより容易に除去することが出来る。したがって、使い捨てにすることなく簡単に洗濯・乾燥させて何度も再利用できる。
【００２０】  さらに、前記クッション４はポリウレタン樹脂製であって非吸水性及び難吸収性素材を使用するものであって、東洋ソフラン、商品名；チップウレタンを使用している。したがって、万一上記破水性カバー３内のクッション４に、カバー３の破れ部分やクッション挿脱部分（マジックテープ２ａ、２ｂ）等から尿が侵入しても、クッション４自体に吸収されないようにしている。
【考案の効果】
【００２１】  この考案においては、上記透水性を有するようにそれぞれ編み込まれた樹脂製袋体から侵入する漏れた尿を、消臭性及び破水性を有するカバー上面で臭いを吸収すると共に、透水性を有する樹脂製袋体上面で蒸発揮散して乾燥する。前記カバーと樹脂製袋体上面に付着した尿の色素は洗浄することにより容易に除去することが出来る。したがって、使い捨てにすることなく、簡単に洗濯・乾燥させて何度も再利用できる畳風の美観を備えた介護用座布団を提供することが出来る。
【００２２】  また、この考案においては、万一上記破水性カバー内のクッションにカバーの破れや部分やクッション挿脱部分等から尿が侵入しても、クッションに吸収されないようにし、クッション自体に臭気が定着しないようにすることができる。
【００２３】  さらに、前記樹脂製袋体の透水性の上面と非透水性の底面との表裏を間違って使用することがないと共に、畳風の座布団の意匠性を高めることができる等の効果がある。
【図面の簡単な説明】
【００２４】
【図１】  本考案の介護用座布団の表面を手前上方から見た写真
【図２】  本考案の介護用座布団の裏面を手前上方から見た写真
【図３】  樹脂製畳表風袋体をマジックテープ部分で解放した図１のＩ−Ｉ線視部分拡大写真
【図４】  図３の樹脂製畳表風袋体内に挿脱自在に設けたカバーのマジックテープ部分で解放した部分拡大写真
【符号の説明】１          樹脂製畳表風袋体（ポリプロピレン）
１ａ        袋体上面（ギア１３で粗く編み上げ透水性）
１ｂ        袋体裏面（ギア２１で密に編み上げ非透水性）
２ａ、２ｂ  マジックテープ（樹脂製畳表風袋体用）
３          カバー（消臭性・破水性）
３ａ、３ｂ  マジックテープ（カバー用）
４          クッション（ポリウレタン）
【図１】
0003180887.tif 000003
【図２】
0003180887.tif 000004
【図３】
0003180887.tif 000005
【図４】
0003180887.tif 000006